(57)【特許請求の範囲】
【請求項１】
座面下に配された座側流体袋と、
背凭れ面後方に配された背側流体袋と、
前記座側流体袋と前記背側流体袋とを連通し、これら流体袋間で流体を流動させることによって座面の変位と背凭れ面の一部が突没することによる変形である変位とを同時惹起するための流路とを具備し、
前記背側流体袋を、着座者の腰部よりも上部を支持し得る背上部流体袋と、着座者の腰部を支持し得る背下部流体袋とを有するものとし、
前記座側流体袋を、着座者の大腿部を支持し得る座前部流体袋と、着座者の臀部を支持し得る座後部流体袋とを有するものとし、
前記流路を、前記座前部流体袋と前記背下部流体袋とを連通するものとし、
前記背下部流体袋を前後方向に複数設けたものとし、前記流路を当該背下部流体袋のうちの何れかと前記座側流体袋とを連通するものとするとともに、他方を背上部流体袋に連通させる背側流路を更に設けたものとし、
前記背上部流体袋において着座者に接触し得る背上部接触面積を、前記背下部流体袋において着座者に接触し得る腰部接触面積よりも大きく設定し、
着座者が背凭れに体重を預けた際の前部背下部流体袋が前方へ突出する突出寸法は前記背上部流体袋の沈み込み寸法より大きくなることを特徴とする椅子。
【請求項２】
座面下に配された座側流体袋と、
背凭れ面後方に配された背側流体袋と、
前記座側流体袋と前記背側流体袋とを連通し、これら流体袋間で流体を流動させることによって座面の変位と背凭れ面の一部が突没することによる変形である変位とを同時惹起するための流路とを具備し、
前記背側流体袋を、着座者の腰部よりも上部を支持し得る背上部流体袋と、着座者の腰部を支持し得る背下部流体袋とを有するものとし、
前記座側流体袋を、着座者の大腿部を支持し得る座前部流体袋と、着座者の臀部を支持し得る座後部流体袋とを有するものとし、
前記流路を、前記座前部流体袋と前記背下部流体袋とを連通するものとし、
前記背下部流体袋を前後方向に複数設けたものとし、前記流路を当該背下部流体袋のうちの何れかと前記座側流体袋とを連通するものとするとともに、他方を前記背上部流体袋に連通させる背側流路を更に設けたものとし、
着座時に前記座前部流体袋に掛かった荷重により前記背下部流体袋が膨張することを特徴とする椅子。
【請求項３】
前記背下部流体袋を前後方向に一対設けるとともに、前記流路を、後側に位置付けた前記背下部流体袋と座側流体袋とを連通するものとしている請求項１又は２記載の椅子。
【請求項４】
前記背下部流体袋を前後方向に一対設けるとともに、前記背側流路を、背凭れ面側に位置付けた前記背下部流体袋と前記背上部流体袋とを連通するものとしている請求項１、２又は３記載の椅子。
【請求項５】
前記背上部流体袋を幅方向に複数独立させて設け、当該複数の背上部流体袋の何れか一つを、幅方向中央部に設けたものとしている請求項１、２、３又は４記載の椅子。
【請求項６】
前記背上部流体袋を幅方向に３つ設け、前記背側流路を、当該３つの背上部流体袋をそれぞれ背下部流体袋へ連通するものとしている請求項５記載の椅子。
【請求項７】
前記背下部流体袋の収縮及び膨張動作を前後方向の往復動作へと変換する動作変換部材をさらに有している請求項１、２、３、４、５又は６記載の椅子。
【請求項８】
前記流体の移動を制御し得る流体制御弁をさらに設けたものとしている請求項１、２、３、４、５、６又は７記載の椅子。
【請求項９】
前記流体を空気とし、前記背側流体袋又は座側流体袋の内部を外部へ選択的に連通させ得る外部連通部を更に設けたものとしている請求項１、２、３、４、５、６、７又は８記載の椅子。
【発明の詳細な説明】
【技術分野】
【０００１】
本発明は、着座者の体格や姿勢に追随して座面並びに背凭れ面の形状を変化させ得る椅子に関するものである。
【背景技術】
【０００２】
従来、椅子、特に事務用の椅子において、座の昇降のみならず、背凭れの角度や腰部を支持するための部位などを着座者の所望の位置に合わせるため、フレームの位置や向きを調整することにより、着座者にとって快適な座り心地を提供したり、着座者の体格に応じた所定の着座姿勢を提供することができる椅子が提案されている（例えば、特許文献１参照）。
【０００３】
特に上述した特許文献に記載のものは、各可動部位を調整することにより、長時間の着座姿勢によっても着座者に疲労を蓄積させ得ない姿勢を提供することも可能なものととなっている。具体的に説明すると、これらの椅子は、着座者に接する着座面の形状、角度などを着座者にとっての快適な着座姿勢に追随させる様各可動部位を調節することにより、着座者に快適な座り心地を提供し得るものとなっている。
【特許文献１】特開２００２−１１９３６３号公報
【発明の開示】
【発明が解決しようとする課題】
【０００４】
ここで、それぞれの着座者の体格や体型は着座者毎に大きく異なったものとなっている。さらには、そういった当該各着座者にとっての快適さを感じる着座姿勢というのは、着座者の着座する目的や「くせ」等によっても大きく異なるものとなっている。
【０００５】
このように、それぞれ体格、体型や姿勢が異なる一人一人の着座者に対して、好適な座り心地やふさわしい着座姿勢を提供し得る椅子が求められている。
【０００６】
本発明は、このような課題に着目したものであり、一人一人の着座者に対して、好適な座り心地やふさわしい着座姿勢を提供し得る椅子を提供する。
【課題を解決するための手段】
【０００７】
本発明は、このような目的を達成するために、次のような手段を講じたものである。すなわち、本発明に係る椅子は、座面下に配された座側流体袋と、背凭れ面後方に配された背側流体袋と、前記座側流体袋と前記背側流体袋とを連通し、これら流体袋間で流体を流動させることによって座面の変位と背凭れ面の変位とを同時惹起するための流路とを具備する。
【０００８】
ここで、「流体」とは、流路内を流動し得るものであれば、気体であっても液体であってもよく、気体、液体の種類についてもなんら限定するものではなく、種々の気体並びに液体を適用することが可能である。
【０００９】
また本発明において、「背凭れ面」とは、着座者の上体を支持し得る面を指すものであり、着座者の腰部を支持し得る面及び着座者の腰よりも上部を支持し得る面とともに、着座者の頭部を支持し得る面、所謂ヘッドレストを含む概念とする。
【００１０】
このようなものであれば、着座者の着座時によって、座面と背凭れ面とを変位させることにより、着座者の体型に好適に適応させることや、着座者に好ましい着座姿勢を提供することが可能となる。また、着座による流体の移動する量は個々の着座者の体重や姿勢によりそれぞれ異なるため、各着座者に好適な座り心地を与えることや、各着座者にそれぞれふさわしい着座姿勢を提供することが可能となる。
【００１１】
着座者の体型に好適に追従させ得るためには、座面又は背凭れ面の変位を、当該座面又は背凭れ面の一部が突没することによる変形とすることが望ましい。ここで進退とは、座面又は背凭れ面全体を昇降或いは突没移動させる態様と、座面又は背凭れ面が角度を変える様に傾斜させる態様とを含むものとする。
【００１２】
そして着座者の腰部を好適に支持し得るためには、背側流体袋を、着座者の腰部よりも上部を支持し得る背上部流体袋と、着座者の腰部を支持し得る背下部流体袋とを有するものとすることが望ましい。
【００１３】
特に、着座者の体重を利用して、着座者が背を後方に反らした姿勢とすべく好適に腰部を好適に支持させるための構成として、座側流体袋と背下部流体袋とを連通する流路を設けたものとすることが望ましい。
【００１４】
さらに、背凭れに体重を預けた際には大腿部からの荷重が大きくなることから、座側流体袋を、着座者の大腿部を支持し得る座前部流体袋と、着座者の臀部を支持し得る座後部流体袋とを有するものとし、流路を、座前部流体袋と背下部流体袋とを連通するものとして、より好適に腰部を支持し得るものとすればよい。
【００１５】
また着座者が上体を後傾させて背凭れに体重を預けた際に、背をより後方へ反らせ得るために本発明は、背下部流体袋を前後方向に複数設けたものとし、流路を当該背下部流体袋のうちの何れかと座側流体袋とを連通するものとするとともに、他方を背上部流体袋に連通させる背側流路を更に設けたものしている。このようなものとすれば、着座者の上体をより良い姿勢に維持するとともに、背筋を後方へ強く反らせるリフレッシュ姿勢を好適に行ない得るものとなる。そして本発明は、着座者が背凭れに体重を預けた際の前部背下部流体袋が前方へ突出する突出寸法は前記背上部流体袋の沈み込み寸法より大きくなることを特徴とする。
【００１６】
具体的には、より着座者の荷重が掛かる座からの強い流体の移動を有効に利用し得るものとするためには、背下部流体袋を前後方向に一対設けるとともに、流路を、後側に位置付けた背下部流体袋と座側流体袋とを連通するものとすることが好ましい。他方、背凭れ面側に位置付けた背下部流体袋と背上部流体袋とを連通する背側流路を設けることにより、より快適なリフレッシュ姿勢を提供し得るものとなる。
【００１７】
他方腰よりも上部を支持する背上部流体袋において、通常肩胛骨に対応する部位が背骨に対応する部位よりも強く押圧されることとなり、単一の背上部流体袋であった場合には押圧された肩胛骨側の流体が背骨側へ移動することにより、背骨に強い圧迫感を与えてしまうものとなるが、背上部流体袋を幅方向に複数設け、当該複数の背上部流体袋の何れか一つを、幅方向中央部に設けたものとして、背骨に対応する部位のものを別体とすれば、斯かる圧迫感を有効に回避し得るものとなる。より具体的には、背上部流体袋を、幅方向に３つ設け、背側流路を、当該３つの背上部流体袋をそれぞれ背下部流体袋へ連通するものを挙げることができる。
【００１８】
さらに、背下部流体袋に確実に腰部を押圧させるためには、背下部流体袋の収縮及び膨張動作を前後方向の往復動作へと変換する動作変換部材をさらに設けたものとすることが望ましい。
【００１９】
いわゆるパスカルの原理を利用することによって、着座者の上体を後傾させた際の背下部流体袋への流体の移動を好適に行なわせるために本発明は、背上部流体袋と背下部流体袋とを連通させる背側流路を設けた上で、背上部流体袋において着座者に接触し得る背上部接触面積を背下部流体袋において着座者に接触し得る背下部接触面積よりも大きく設定し、着座時に座前部流体袋に掛かった荷重により前記背下部流体袋が膨張することを特徴としている。斯かる構成により、着座者の上体の後傾による背上部流体袋の沈み量が少なくとも、背上部接触面積が背下部接触面積よりも大きく設定することにより、背下部流体袋を前記沈み寸法よりも大きく突出させることが可能となる。
【００２０】
そして、着座者の着座によって流体を移動させた際の好適な座面及び背凭れ面の形状の一部又は全部を記憶させて、着座者独自の形状を保持させたり、座面及び背凭れ面が変位する過程において着座者に快適な着座感を付与するためには、流体の移動を制御し得る流体制御弁をさらに設けたものとすることが望ましい。
【００２１】
ここで流体の「制御」とは、流体の流れを遮断する態様や、流体の移動速度を変化させる態様、さらには、流体の移動方向を限定する態様など、既存の流体制御弁が行ない得る全ての態様を含むものとする。
【００２２】
そして、流体を空気としている場合には、背側流体袋又は座側流体袋の内部を外部へ、例えばＯＮ／ＯＦＦ操作により選択的に連通させ得る外部連通部を更に設けたものとすれば、背側流体袋又は座側流体袋に含まれる流体量を所望の量に調節することができる。
【発明の効果】
【００２３】
本発明によれば、着座者の着座時によって、座面と背凭れ面とを変位させることにより、着座者の体型に好適に適応させることや、着座者に好ましい着座姿勢に適した背座の状態を提供することが可能となる。また、着座による流体の移動する量は個々の着座者の体重や姿勢によりそれぞれ異なるため、各着座者に好適な座り心地を与えることや、各着座者にそれぞれふさわしい着座姿勢を提供することが可能となる。
【発明を実施するための最良の形態】
【００２４】
以下、本発明の一実施の形態について図面を参照して説明する。
【００２５】
本実施形態に係る椅子Ａを図１及び図２に示す。なお同図においては、後に詳述する流路部３、流体制御弁４並びに外部連通部５に係る図示を省略している。
【００２６】
椅子Ａは、同図に示すように、座フレームＳＦ及び背フレームＢＦに座Ｓ及び背凭れＢをそれぞれ支持させるとともに、図示しない調整機構により座Ｓが座フレームＳＦに対して、前後方向に、背フレームＢＦに対して背凭れＢが上下方向にスライドし得るものとなっている。
【００２７】
座Ｓは、図１及び図２に示すように、座面ｓｓを構成するとともに座フレームＳＦに取り付けられる座本体Ｓ１と、当該座本体Ｓ１に内蔵される後に詳述する座側流体袋１とを少なくとも有している。
【００２８】
背凭れＢは、本実施形態では、例えば２本の背フレームＢＦの延伸方向に沿ってそれぞれ上下方向にスライドし得るものとなっている。そして同図に示すように背凭れＢは、背凭れ面ｂｓを構成し着座者の腰よりも上部である背上部及び腰部を支持し得る背凭れ本体Ｂ１と、図２に示すように当該背凭れ本体Ｂ１に内蔵される後に詳述する背側流体袋２と、着座者の頭部を支持し得るヘッドレストＢ２とを少なくとも有しているものである。
【００２９】
ここで、本実施形態に係る椅子Ａは、座面ｓｓ下に配された座側流体袋１と、背凭れ面ｂｓ後方に配された背側流体袋２と、座側流体袋１と背側流体袋２とを連通し、これら流体袋間で流体を流動させることによって座面ｓｓの変位と背凭れ面ｂｓの変位とを同時惹起するための流路たる背座連通流路３３とを具備することを特徴とするものである。なお本実施形態では流体の一例として、空気を適用したものとしている。
【００３０】
以下、当該椅子Ａにおける座側流体袋１、背側流体袋２及び上述する背座連通流路３３を含む流路部３に係る各構成について詳述する。
【００３１】
本実施形態に係る椅子Ａは、上述の座側流体袋１、背側流体袋２を具備しているとともに、上述した背座連通流路３３、座側流体袋１間を連通する座側流路３１及び背側流体袋２間を連通する背側流路３２を有する流路部３と、流体の移動を制御し得る流体制御弁４と、流路を外部に連通させ得る外部連通部５を有している。
【００３２】
座側流体袋１は、図２及び図３に模式的に示すように、座Ｓの前側において着座者の大腿部を支持し得る座前部流体袋たる前部流体袋１１と、着座者の主に臀部を支持し得る座後部流体袋たる後部流体袋１２とを有している。そして前部流体袋１１は左右に略対称に分割される前右袋１３と前左袋１４とを有している。後部流体袋１２においても左右に略対称に分割される後右袋１５と後左袋１６とを有している。そしてこれら前右袋１３と前左袋１４、後右袋１５と後左袋１６とは後述する座側流路３１によって前後方向並びに左右方向に連通された状態となっている。そして、前部流体袋１１と、後述する腰後部流体袋２７とは、後述する背座連通流路３３によって連通されているが図３には斯かる背座連通流路３３の図示を省略して示している。
【００３３】
背側流体袋２は、図２、及び図４並びに図５に模式的に示すように、着座者の背上部を支持し得る背上部流体袋２１と、着座者の腰部を支持し得る背下部流体袋たる腰部流体袋２２とを有するものである。また背側流体袋２は、同図に示すように、背上部流体袋２１において背凭れ面ｂｓを介して着座者に接触し得る背上部接触面積２ａを、腰部流体袋２２において着座者に接触し得る腰部接触面積２ｂよりも大きく設定したものとしている。
【００３４】
背上部流体袋２１は、幅方向に３つ、すなわち、着座者の右側を支持し得る右側流体袋２３と、着座者の脊椎上部を支持し得る中央流体袋２４と、着座者の左側を支持し得る左側流体袋２５とを有したものとなっている。そして当該左側流体袋２５、中央流体袋２４及び右側流体袋２３は、それぞれ後述する背側流路３２によって、腰部流体袋２２へ連通するものとしている。
【００３５】
腰部流体袋２２は、前後方向に２つ、すなわち、背凭れ面ｂｓ直下に位置付けた腰前部流体袋２６と、背フレームＢＦ側に位置付けるとともに収縮とともに背凭れ面ｂｓを腰前部流体袋２６ごと前後方向に移動させ得る腰後部流体袋２７とを有している。そして、腰前部流体袋２６は上述の通り、背側流路３２によって背上部流体袋２１に連通している。さらに、腰後部流体袋２７は、同図に示すように、後述する背座連通流路３３によって、前部流体袋１１に連通したものとなっている。
【００３６】
そして腰後部流体袋２７には、当該腰後部流体袋２７の収縮動作を前後動作に変換し得る動作変換部材たるガイド板Ｂ３を取り付けている。具体的には、ガイド板Ｂ３は本実施形態ではヒンジｈによって相対的に回動可能に接続された複数の板材によって構成されている。ガイド板Ｂ３は具体的には、腰前部流体袋２６を押圧し得る押圧板Ｂ３１と、押圧板Ｂ３１の上下にそれぞれ連結する上連結板Ｂ３２並びに下連結板Ｂ３３と、当該上連結板Ｂ３２並びに下連結板Ｂ３３にさらに連結して背フレームＢＦ側に取り付けられる上取付板Ｂ３４並びに下取付板Ｂ３５とを有している。そして本実施形態では、腰後部流体袋２７内の流体すなわち空気の増加に伴って下取付板Ｂ３５が背フレームＢＦに沿って上方向にスライド移動することにより、下連結板Ｂ３３の角度が図５に示した状態から水平に近づく方向に回転する。そして斯かる下連結板の回動に伴って、上連結板Ｂ３２を水平に近づく方向に回動させながら、押圧板Ｂ３１が垂直に起立した状態を維持しながら前方向に略平行に移動し得るものとなっている（図７）。
【００３７】
流路部３は、図３、図４並びに図５に模式的に示すように、座側流路３１と、背側流路３２と、背座連通流路３３とを有するものである。
【００３８】
座側流路３１は、図３に示すように、前右袋１３及び前左袋１４を連通する前側流路３１１と、後右袋１５及び後左袋１６を連通する後側流路３１２とを有することによって、流体をそれぞれ幅方向に移動し得るものとしている。そして前右袋１３及び後右袋１５を連通する右流路３１３と、前左袋１４と後左袋１６とを連通する左流路３１４とを有することによって、流体をそれぞれ前後方向に移動し得るものとしている。そして本実施形態では前側流路３１１及び後側流路３１２と、右流路３１３及び左流路３１４とを同径のパイプによって構成している。具体的には、同図に示すように、前側流路３１１及び後側流路３１２を１本のパイプにより構成しているのに対し、右流路３１３及び左流路３１４を２本のパイプにより構成している。また本実施形態では座側流路３１におけるそれぞれの流体の移動を、同図に模式的に示す第一制御弁４１並びに第一連通部５１を設けたものとしているが、斯かる図示は模式的なものであり、第一制御弁４１並びに第一連通部の取付位置を具体的に特定するものではない。
【００３９】
背側流路３２は、図４に示すように、それぞれの背上部流体袋２１、すなわち右側流体袋２３、中央流体袋２４及び左側流体袋２５と、腰前部流体袋２６とを連通し得るものとなっている。そして本実施形態では背側流路３２中に、後述する第二制御弁４２並びに第二連通部５２を設けたものとしているが、斯かる図示は模式的なものであり、第二制御弁４２並びに第二連通部５２の取付位置を具体的に特定するものではない。
【００４０】
背座連通流路３３は、図５に示すように、前部流体袋１１と、腰後部流体袋２７とを連通したものである。具体的には右前流体袋１３及び左前流体袋１４がそれぞれ腰後部流体袋２７に連通したものとなっているが、同図において当該図示を省略して示している。
【００４１】
流体制御弁４は、図３では想像線によって、図４及び図５では模式的に示すように、本実施形態では、座側流路３１及び背座連通流路３３における流体の流量を制御し得る第一制御弁４１と、背側流路３２における流体の流量を制御し得る第二制御弁４２とを有したものとしている。斯かる流体制御弁４の作用について説明すると、少なくとも流体の流れの遮断を行ない得るものとしているが、他にも流量を制御する機能や、一方向の流体の流れのみを許容する機能を有するものであっても良く、既存の制御弁を採用することにより種々の態様を実現し得るものとなっているため、具体的な構成の説明を省略するものとする。また、流体制御弁４を設ける位置においても、本実施形態では模式的に図示したものとなっているが、具体的な椅子Ａの構成によって、種々の箇所に取り付け得るものである。
【００４２】
外部連通部５は、図３では想像線によって、図４及び図５では模式的に示すように、本実施形態では第一制御弁４１の位置に設けた第一連通部５１と、第二制御弁４２の位置に設けた第二連通部５２とを有している。斯かる第一連通部５１及び第二連通部５２は、それぞれ背側流体袋２及び／又は座側流体袋１の内部と外部とを選択的に連通させて、背側流体袋２又は座側流体袋１内の空気を外部へ放出させるか或いは外部の空気を内部へ案内し得る機能を有するものである。特に本実施形態では、第一連通部５１及び第二連通部５２に吸入ポンプ５３を併設することにより、外部の空気を所要量背側流体袋２又は座側流体袋１内に吸入させて、背側流体袋２又は座側流体袋１内の総空気量を増加させると同時に、例えば図示しないポンプバルブの開放操作によって、背側流体袋２又は座側流体袋１内の空気を簡便に外部へ放出させ得るものとしている。本実施形態では上述の通り、当該外部連通部５を流体制御弁４の位置に設けたものとしているが、外部連通部５を配置する位置などは図示の態様に限られる事はなく、例えば特定の流体袋に配する態様や特定の流路に配する態様など、種々の態様を採用することが可能である。
【００４３】
しかして本実施形態に係る椅子Ａは、座側流体袋１間、背側流体袋２間、そして座側流体袋１と背側流体袋２との間で流体を移動させることにより、座面ｓｓ又は背凭れ面ｂｓが変位するものとなっている。具体的には、座面ｓｓ又は背凭れ面ｂｓの一部が突没することによって変形し得るものとなっている。以下に座面ｓｓ並びに背凭れ面ｂｓの変形について、図３、図４、図５、図６及び図７を用いて詳述する。
【００４４】
図３に示すように、座側流路３１ついては、上述の通り、前側流路３１１及び後側流路３１２を１本のパイプにより構成しているのに対し、右流路３１３及び左流路３１４を２本のパイプにより構成している。そうすることにより、座側流体袋１において、幅方向に流体が移動する流量よりも前後方向に流体が移動する流量の方が大きく構成したものとなっており、着座者の前後方向の体重移動に対して、より早く反応して流体が移動し得るものとなっている。
【００４５】
図４及び図６に示すように、背側流路３２によって、図６に示すように着座者が上体を預ける、すなわち上体から背凭れ面ｂｓへ体重をかける動作をおこなうと、図４に示した通り、背上部流体袋２１において着座者に接触し得る背上部接触面積２ａを、腰部流体袋２２において着座者に接触し得る腰部接触面積２ｂよりも大きく設定したものとしている。そのため、特に着座者が状態を大きく後へ倒すなどの動作をして、背上部流体袋２１を沈み込ませれば、流体は、背上部流体袋２１から腰前部流体袋２６に至る方向に起こる。このとき、着座者は背凭れＢに体重を預けた際には腰部を前方へ押されることとなるが、上述の通り背上部接触面積２ａが腰部接触面積２ｂよりも大きい為、腰前部流体袋２６が前方へ突出する突出寸法は背上部流体袋２１の沈み込み寸法よりも、詳細には背上部接触面積２ａ／腰部接触面積２ｂの割合で大きくなるので、着座者の腰部がより多く押されることとなる。その結果として、着座者は上体をより大きく反らすことが出来る快適なリフレッシュ姿勢をとり得るものとなっている。勿論第二制御弁４２を操作する事により、斯かる流体の移動を禁止することも可能である。
【００４６】
そして図５及び図７に示すように、背座連通流路３３によって、着座時に前部流体袋１１に掛かった荷重が腰後部流体袋２７に移動することとなる。その時、腰後部流体袋２７が膨張することによって、上述したようにガイド板Ｂ３の下取付板Ｂ３５が背フレームＳＦに沿って上方へスライド移動するとともに、押圧板Ｂ３１が腰前部流体袋２６ごと、対応する背凭れ面ｂｓを隆起させることにより、着座者の腰部を押圧する。そうなると、着座者は着座動作とともに、上体を起立させた良好な着座姿勢を得ることが可能となる。
【００４７】
また、空気量を増減させる際には、外部連通部５によって、座側流体袋１または背側流体袋２の内外を連通させて空気を抜くことにより、背側流体袋２又は座側流体袋１を着座者の要望に合わせて柔らかい触感とすることも可能である。他方、吸入ポンプ５３によって背側流体袋２又は座側流体袋１に空気を吸入することにより、背側流体袋２又は座側流体袋１を着座者の要望に合わせて硬い触感とすることも可能である。
【００４８】
以上のような構成とすることにより、本実施形態に係る椅子Ａは、座側流体袋１と背側流体袋２とを連通し、これら流体袋間で流体を流動させることによって座面ｓｓの変位と背凭れ面ｂｓの変位とを同時惹起するための流路たる背座連通流路３３を具備しているので、座面ｓｓと背凭れ面ｂｓとを連動させて変位させることにより、着座者の体型に好適に適応させることや、着座者に好ましい着座姿勢を提供することが可能となる。また、着座による流体の移動する量は個々の着座者の体重や姿勢によりそれぞれ異なるため、各着座者に好適な座り心地を与えることや、各着座者にそれぞれふさわしい着座姿勢を提供することが可能なものとなっている。
【００４９】
また本実施形態では、腰前部流体袋２６や前部流体袋１１、そして背上部流体袋２１を収縮させて座面ｓｓ及び背凭れ面ｂｓの一部を適宜突没させることによって、着座者の体型に好適に追従させつつ、上体を反らした快適な着座姿勢を与え得るものとなっている。
【００５０】
特に背側流体袋２を、着座者の腰よりも上部を支持し得る背上部流体袋２１と、着座者の腰部を支持し得る背下部流体袋たる腰部流体袋２２とを有する構成として、着座者の腰部を前方へ押圧して、着座者の上体を好適に支え得る、所謂ランバーサポートとしての役割を実現し得たものとなっている。
【００５１】
さらに、背座連通流路３３を、座側流体袋１と腰部流体袋２２とを連通する構成としているので、着座者の体重を有効に利用して、着座者が背を後方に反らした姿勢として、着座者の腰部を好適に支持し得るものとなっている。詳細には、背座連通流路３３を前部流体袋１１と腰部流体袋２２とを連通するものとして、背凭れＢに体重を預けた際には大腿部からの荷重が大きくなることを有効に利用しながら、より好適に腰部を支持し得るものとなっている。
【００５２】
また本実施形態では、背上部流体袋２１と腰前部流体袋２６とを連通する背側流路３２を更に設けたものとしているので、背筋を後方へ強く反らせるリフレッシュ姿勢を行なった際には流体の移動により腰前部流体袋２６が膨張して着座者の腰部をより強く押圧し、着座者にさらなる快適さを提供し得るものとなっている。
【００５３】
加えて、より着座者からの荷重がより大きく掛かる座Ｓからの強い流体の移動を有効に利用する為の構成として、本実施形態では背座連通流路３３を、腰後部流体袋２７と座側流体袋１と連通するものとしている。その上で上述の通り、背側流路３２を設けているため、より快適なリフレッシュ姿勢を提供し得るものとなっている。
【００５４】
そして、背上部流体袋２１において、通常肩胛骨に対応する部位が背骨に対応する部位よりも強く押圧されることを鑑みて、もし単一の背上部流体袋であった場合であれば押圧された肩胛骨側の流体が背骨側へ移動して、背骨に強い圧迫感を与えてしまうところ、本実施形態では、背上部流体袋を幅方向に複数設け、当該複数の背上部流体袋の何れか一つを、幅方向中央部に中央流体袋２４を別途設けたものとして、斯かる圧迫感を有効に回避し得るものとしている。すなわち、背上部流体袋２１を、幅方向に右側流体袋２３、中央流体袋２４、左側流体袋２５に分割し、背側流路３２は、当該右側流体袋２３、中央流体袋２４、左側流体袋２５と腰前部流体袋２６とを連通するものとしている。
【００５５】
さらに、腰部流体袋２２により、腰部を所望の方向である前方へ押圧させるために、本実施形態では腰後部流体袋２７の収縮動作を前後方向の往復動作へと変換する動作変換部材をさらに設けたものとしている。
【００５６】
そして、背上部流体袋２１において着座者に接触し得る背上部接触面積２ａを腰部流体袋２２において着座者に接触し得る腰部接触面積２ｂよりも大きく設定している。そうすることにより、上述の通り腰前部流体袋２６が前方へ突出する突出寸法は背上部流体袋２１の沈み込み寸法よりも背上部接触面積２ａ／腰部接触面積２ｂの割合で大きくなるという、いわゆるパスカルの原理によって、着座者の上体を後傾させた際により大きく着座者の腰部を押し出すことができるものとなっている。
【００５７】
そして、着座者の着座によって流体を移動させた際の好適な座面ｓｓ及び背凭れ面ｂｓの形状の一部又は全部を記憶させるなど、着座者独自の形状を保持させたり、座面ｓｓ及び背凭れ面ｂｓが変位する過程において着座者に快適な着座感を付与するために、本実施形態では、流体の移動を禁止するなど流量を制御し得る流体制御弁４をさらに設けたものとしている。
【００５８】
そして、本実施形態では流体を空気とし、更に外部連通部５を設けているので、背側流体袋２又は座側流体袋１に含まれる流体量を所望の量に調節し得るものとなっている。
【００５９】
＜参考例１＞
続いて、本実施形態の参考例及び変形例について詳述していく。また、以下の各参考例及び変形例において、上記実施形態と同様の構成要素については、同様の符合を付するとともに詳細な説明を省略するものとする。
【００６０】
同参考例は、図８及び図９（ａ）、（ｂ）、（ｃ）に示すように、上記実施形態の要に座面ｓｓの一部を突没させることにより座面ｓｓを変形させるものとは異なり、伸縮部材たるエアコラムａｃを採用した座側流体袋１とし、当該座面ｓｓ又は背凭れ面ｂｓの略全部を進退させる態様すなわち傾斜させる態様を実現したものである。
【００６１】
具体的には、エアコラムａｃを座板Ｓ１１の４隅を含む下方にそれぞれ複数配置し、座側流路３１を介した流体の移動に伴いそれぞれ上下方向に伸縮させることにより、座面ｓｓ全体を昇降並びに傾斜させ得るものとなっている。なお同参考例においても、吸入ポンプを配した外部連通部５を設けた構成としてもよい。
【００６２】
＜変形例２＞
また、座側流体袋１又は背側流体袋２によって座本体Ｓ１又は背凭れ本体Ｂ１を構成する具体的な一例として、図１０、図１１及び図１２に示すような態様を挙げることができる。
【００６３】
図１０及び図１１は、例えば座側流体袋１ａに当該座側流体袋１ａの形状を所定形状に復帰させ得る形状復帰手段としてのウレタンシェルＢ１ａを座面ｓｓの下方に配置し、適用した態様を示している。本変形例において、座側流体袋１ａは、底部で各々連通した直方体形状のセル１０ａを形成したものとしている。一方ウレタンシェルは、セル１０ａの形状に対応させた格子穴Ｂ１０ａを有したものとしている。そして、図１１に示すように、セル１０ａに対して格子穴Ｂ１０ａを嵌め合わせて、セル１０ａの表面を格子穴Ｂ１０ａの内面に例えば接着することによって、座本体Ｓ１の一部を構成したものとしている。また、本変形例において流体袋には、吸入ポンプ５３を有する外部連通部５を設けたものとしている。
【００６４】
斯かる構成により、通常の状態において、着座者の立ち上がり動作などによって座本体１に荷重が掛かった状態から解除されると、ウレタンシェルＢ１ａ自体がその形状をもとの形状に復帰させる為、格子穴Ｂ１０ａの内面形状の復帰に応じてセル１０ａの形状も復帰して膨張する。このとき座側流体袋１ａの内圧が一時的に低下することとなり、図示しない流路３、流体制御弁４を介して背側流体袋から空気が入ることとなる。そしてウレタンシェルＢ１ａの形状が完全に復帰するときにはセル１０ａにも所要量の空気が入ることとなり、座本体Ｓ１の形状は所定形状に復帰・維持されるものとなる。勿論外部連通部５によって外部と連通させれば、外部から空気が入ることとなり、同様に座本体Ｓ１の形状を所定形状に復帰させることができる。一方、何らかの理由で座側流体袋１ａ内の空気量が少なくなった際には、外部連通部５によって流体袋の内外を連通させることにより、上述同様にウレタンシェルＢ１ａがもとの形状に戻す為、座本体Ｓ１の形状は好適に復帰することとなる。他方、吸入ポンプ５３によって、座本体を硬めに構成して弾性反発力を高めることも可能である。すなわち、吸入ポンプ５３によって外部の空気が座側流体袋１ａ内に入ると、座側流体袋１ａにおいて個々のセル１０ａが内圧を高めつつ膨張する。そしてウレタンシェルＢ１ａは膨張したセル１０ａに圧縮されることによって、硬さ並びに弾性反発力を高め得るものとなっている。
【００６５】
また、図１２（ａ）、（ｂ）、（ｃ）及び（ｄ）に示すように、例えば座側流体袋１ｂ自体を、所謂ジェルなどの、弾性を有する素材を用いて構成することにより、座側流体袋１ｂ自体を形状復帰手段として構成しても良い。すなわち、同図（ａ）、（ｂ）に示すように、内部に流体を収容し得る各々連通した複数の流体収容部１０ｂを設けたものとしているそして、この変形例においても流体袋に、吸入ポンプ５３を有する外部連通部５を設けたものとしている。
【００６６】
斯かる構成により、同図（ｃ）に示すように座側流体袋１ｂの所定箇所に荷重が掛かった場合、個々の流体収容部間１０ｂを流体が移動することにより、圧力が分散された状態となり、座側流体袋１ｂが均一に荷重を受け得るものとなっている。また、同図（ｄ）に示すように、外部連通部５における吸入ポンプ５３によって、座側流体袋１０ｂを硬くして弾性反発力を高めることも可能である。すなわち、吸入ポンプ５３によって外部の空気が流体袋内に入ると、個々の流体収容部１０ｂが内圧を高めつつ膨張する。そうすることにより、硬さ並びに弾性反発力を高め得るものとなっている。
【００６７】
＜変形例３＞
また、図１３及び図１４に示すように、座側流体袋１の構成として、上記実施形態に示した前部流体袋１１と後部流体袋１２に加え、着座者の尾てい骨を斜め下方から押圧支持する後端部流体袋１７を有するものとしても良い。
【００６８】
斯かる構成により、着座者は座Ｓの後端部から尾てい骨を押圧支持されることによって、座側流体袋１は、特に骨盤を、より安定して支持し得るものとなっている。図１３は、上記実施形態に係る前部流体袋１１に適用した構成として、後端部流体袋１７と、座側流路３１ａとを図示しており、図１４は、図８に係るエアコラムａｃを適用した態様に後端部流体袋を適用したものとしている。
【００６９】
＜変形例４＞
また、上記実施形態に係る動作変換部材に対応する変形例として、図１５に一例として示すような態様を挙げることができる。すなわち、背側流体袋２である背上部流体袋２１及び腰部流体袋２２を、互いに一方向へ接離し得るシェルＢ４、Ｂ５間及びシェルＢ４、Ｂ６間にそれぞれ配置することによって、背側流体袋２又は座側流体袋１の収縮動作をシェル同士の接離動作へと変換することにより、座面ｓｓ又は背凭れ面ｂｓの変位をなし得るものである。
【００７０】
斯かる構成により、例えば背側流体袋２又は座側流体袋１をコンパクトに構成したものとしても、シェルの形状Ｂ４、Ｂ５を適宜設定することにより、大きな動作範囲を確保し得る構造とすることができる。
【００７１】
＜変形例５＞
さらに、上記実施形態に係る背側流体袋２並びに背側流路３２に斯かる変形例として、図１６に示すような態様を挙げることができる。すなわち、同図に示す変形例は、背上部流体袋２１を構成するを連通する側方連通流路３２ａをさらに設けることにより、右側流体袋２３及び左側流体袋２５間の流体の移動を速やかに行なわせるものである。
【００７２】
斯かる構成により、着座者が例えば腰をひねる等の動作による背上部の旋回動作に応じて右側流体袋２３及び左側流体袋２５の何れか一方が押圧された場合、速やかに流体が一方から他方へ移動することにより、着座者の上体特に背上部の動作に速やかに追随し得るものとすることができる。
【００７３】
以上、本発明の実施形態について説明したが、各部の具体的な構成は、上述した実施形態のみに限定されるものではなく、本発明の趣旨を逸脱しない範囲で種々変形が可能である。
【００７４】
例えば、上記実施形態では背凭れには背上部流体袋と背下部流体袋とを設けた態様を開示したが、ヘッドレストに別途流体袋を設け、座側流体袋や、背上部流体袋又は背下部流体袋に、背座連通流路又は背側流路を介して連通する構成を採用してもよい。
【００７５】
その他、各部の具体的構成についても上記実施形態に限られるものではなく、本発明の趣旨を逸脱しない範囲で種々変形が可能である。
【図面の簡単な説明】
【００７６】
【図１】本発明の一実施形態に係る外観図。
【図２】同実施形態に係る構成説明図。
【図３】同実施形態に係る模式的な構成説明図。
【図４】同上。
【図５】同上。
【図６】同実施形態に係る作用説明図。
【図７】同上。
【図８】同実施形態の参考例１に係る構成説明図。
【図９】同作用説明図。
【図１０】同実施形態の変形例２に係る構成説明図。
【図１１】同上。
【図１２】同変形例２に係る他の構成説明図。
【図１３】同実施形態の変形例３に係る構成説明図。
【図１４】同変形例３に係る他の構成説明図。
【図１５】同実施形態の変形例４に係る構成説明図。
【図１６】同実施形態の変形例５に係る構成説明図。
【符号の説明】
【００７７】
１、１ａ、１ｂ…座側流体袋
１１…座前部流体袋（前部流体袋）
１２…座後部流体袋（後部流体袋）
２…背側流体袋
２ａ…背上部接触面積
２ｂ…背下部接触面積（腰部接触面積）
２１…背上部流体袋
２２…背下部流体袋（腰部流体袋）
３２…背側流路
３３…流路（背座連通流路）
４…流体制御弁
５…外部連通部
Ａ…椅子
ｓｓ…座面
ｂｓ…背凭れ面
【図１】
0005388085.tif 000002
【図２】
0005388085.tif 000003
【図３】
0005388085.tif 000004
【図４】
0005388085.tif 000005
【図５】
0005388085.tif 000006
【図６】
0005388085.tif 000007
【図７】
0005388085.tif 000008
【図８】
0005388085.tif 000009
【図９】
0005388085.tif 000010
【図１０】
0005388085.tif 000011
【図１１】
0005388085.tif 000012
【図１２】
0005388085.tif 000013
【図１３】
0005388085.tif 000014
【図１４】
0005388085.tif 000015
【図１５】
0005388085.tif 000016
【図１６】
0005388085.tif 000017